(57)【特許請求の範囲】
【請求項１】
車両の車両本体と前輪との相対的な位置である前輪側相対位置を変更可能な前輪側変更手段と、
前記車両本体と後輪との相対的な位置である後輪側相対位置を変更可能な後輪側変更手段と、
前記前輪側変更手段および前記後輪側変更手段を制御して前記前輪側相対位置および前記後輪側相対位置を変更することで前記車両本体の高さである車高を調整する制御手段と、
を備え、
前記前輪側変更手段は、前輪側ジャッキ室を形成する前輪側油圧ジャッキと、当該前輪側ジャッキ室に充填される液体量を制御する前輪側電磁弁とを有し、当該前輪側ジャッキ室内に充填された液体量に応じて前記前輪側相対位置を変更し、
前記後輪側変更手段は、後輪側ジャッキ室を形成する後輪側油圧ジャッキと、当該後輪側ジャッキ室に充填される液体量を制御する後輪側電磁弁とを有し、当該後輪側ジャッキ室内に充填された液体量に応じて前記後輪側相対位置を変更し、
前記制御手段は、前記前輪側電磁弁および前記後輪側電磁弁をＰＷＭ制御することで前記前輪側相対位置の変位量と前記後輪側相対位置の変位量との比を所定範囲内に保持しつつ、前記車高を上昇させることを特徴とする車高調整装置。
【請求項２】
車両の車両本体と前輪との相対的な位置である前輪側相対位置を変更可能な前輪側変更手段と、
前記車両本体と後輪との相対的な位置である後輪側相対位置を変更可能な後輪側変更手段と、
前記前輪側変更手段および前記後輪側変更手段を制御して前記前輪側相対位置および前記後輪側相対位置を変更することで前記車両本体の高さである車高を調整する制御手段と、
を備え、
前記前輪側変更手段は、前輪側ジャッキ室を形成する前輪側油圧ジャッキと、当該前輪側ジャッキ室に充填される液体量を制御する前輪側電磁弁とを有し、当該前輪側ジャッキ室内に充填された液体量に応じて前記前輪側相対位置を変更し、
前記後輪側変更手段は、後輪側ジャッキ室を形成する後輪側油圧ジャッキと、当該後輪側ジャッキ室に充填される液体量を制御する後輪側電磁弁とを有し、当該後輪側ジャッキ室内に充填された液体量に応じて前記後輪側相対位置を変更し、
前記制御手段は、前記車高を目標車高まで上昇させる際に当該目標車高にする前記前輪側相対位置および前記後輪側相対位置の目標の相対位置を設定し、当該前輪側相対位置の変化速度についての基準速度に対する実際の変化速度の前輪側比率と、当該後輪側相対位置の変化速度についての基準速度に対する実際の変化速度の後輪側比率との速度比率が所定範囲外である場合には、当該前輪側比率および当該後輪側比率の内の大きい方の比率を小さい方の比率に合わせるように、当該前輪側相対位置または当該後輪側相対位置の目標位置を補正することで、当該速度比率が当該所定範囲内となるように前記前輪側電磁弁および前記後輪側電磁弁をＰＷＭ制御することを特徴とする車高調整装置。
【請求項３】
前記速度比率は、前記後輪側比率に対する前記前輪側比率の比率であり、
前記制御手段は、前記速度比率が前記所定範囲よりも大きい場合には、前記前輪側相対位置の目標位置を補正し、当該速度比率が当該所定範囲よりも小さい場合には、前記後輪側相対位置の目標位置を補正することを特徴とする請求項２に記載の車高調整装置。
【請求項４】
前記前輪側変更手段は、衝撃を吸収する前輪側懸架スプリングと、当該前輪側懸架スプリングの端部を支持し、前記前輪側油圧ジャッキとともに前記前輪側ジャッキ室を形成する前輪側支持部材と、をさらに備え、前記前輪側ジャッキ室内に充填された液体量に応じて前記前輪側懸架スプリングの長さを変更して当該前輪側懸架スプリングの荷重を変更することで前記前輪側相対位置を変更し、
前記後輪側変更手段は、衝撃を吸収する後輪側懸架スプリングと、当該後輪側懸架スプリングの端部を支持し、前記後輪側油圧ジャッキとともに前記後輪側ジャッキ室を形成する後輪側支持部材と、をさらに備え、前記後輪側ジャッキ室内に充填された液体量に応じて前記後輪側懸架スプリングの長さを変更して当該後輪側懸架スプリングの荷重を変更することで前記後輪側相対位置を変更する
請求項１から３のいずれか１項に記載の車高調整装置。
【請求項５】
前輪側ジャッキ室を形成する前輪側油圧ジャッキと、当該前輪側ジャッキ室に充填される液体量を制御する前輪側電磁弁とを有し、当該前輪側ジャッキ室内に充填された液体量に応じて車両本体と前輪との相対的な位置である前輪側相対位置を変更可能な前輪側変更手段と、後輪側ジャッキ室を形成する後輪側油圧ジャッキと、当該後輪側ジャッキ室に充填される液体量を制御する後輪側電磁弁とを有し、当該後輪側ジャッキ室内に充填された液体量に応じて車両本体と後輪との相対的な位置である後輪側相対位置を変更可能な後輪側変更手段とを備える車両の当該前輪側相対位置および当該後輪側相対位置を変更することで車両本体の高さである車高を調整する車高調整方法であって、
前記前輪側電磁弁および前記後輪側電磁弁をＰＷＭ制御することで、前記前輪側相対位置の変位量と前記後輪側相対位置の変位量との比を所定範囲内に保持しつつ、前記車高を上昇させることを特徴とする車高調整方法。
【請求項６】
前輪側ジャッキ室を形成する前輪側油圧ジャッキと、当該前輪側ジャッキ室に充填される液体量を制御する前輪側電磁弁とを有し、当該前輪側ジャッキ室内に充填された液体量に応じて車両本体と前輪との相対的な位置である前輪側相対位置を変更可能な前輪側変更手段と、後輪側ジャッキ室を形成する後輪側油圧ジャッキと、当該後輪側ジャッキ室に充填される液体量を制御する後輪側電磁弁とを有し、当該後輪側ジャッキ室内に充填された液体量に応じて車両本体と後輪との相対的な位置である後輪側相対位置を変更可能な後輪側変更手段とを備える車両の当該前輪側相対位置および当該後輪側相対位置を変更することで車両本体の高さである車高を調整する車高調整方法であって、
前記車高を目標車高まで上昇させる際に当該目標車高にする前記前輪側相対位置および前記後輪側相対位置の目標の相対位置を設定し、当該前輪側相対位置の変化速度についての基準速度に対する実際の変化速度の前輪側比率と、当該後輪側相対位置の変化速度についての基準速度に対する実際の変化速度の後輪側比率との速度比率が所定範囲外である場合には、当該前輪側比率および当該後輪側比率の内の大きい方の比率を小さい方の比率に合わせるように、当該前輪側相対位置または当該後輪側相対位置の目標位置を補正することで、当該速度比率が当該所定範囲内となるように、前記前輪側電磁弁および前記後輪側電磁弁をＰＷＭ制御することを特徴とする車高調整方法。
【請求項７】
前記前輪側変更手段は、衝撃を吸収する前輪側懸架スプリングと、当該前輪側懸架スプリングの端部を支持し、前記前輪側油圧ジャッキとともに前記前輪側ジャッキ室を形成する前輪側支持部材と、をさらに備え、前記前輪側ジャッキ室内に充填された液体量に応じて前記前輪側懸架スプリングの長さを変更して当該前輪側懸架スプリングの荷重を変更することで前記前輪側相対位置を変更し、
前記後輪側変更手段は、衝撃を吸収する後輪側懸架スプリングと、当該後輪側懸架スプリングの端部を支持し、前記後輪側油圧ジャッキとともに前記後輪側ジャッキ室を形成する後輪側支持部材と、をさらに備え、前記後輪側ジャッキ室内に充填された液体量に応じて前記後輪側懸架スプリングの長さを変更して当該後輪側懸架スプリングの荷重を変更することで前記後輪側相対位置を変更する
請求項５または６に記載の車高調整方法。
【発明の詳細な説明】
【技術分野】
【０００１】
本発明は、自動二輪車の車高を調整する車高調整装置および車高調整方法に関する。
【背景技術】
【０００２】
近年、自動二輪車の走行中は車高を高くし、停車中は乗り降りを楽にするために車高を低くする装置が提案されている。
そして、例えば、特許文献１に記載の車高調整装置は、自動二輪車の車速に応答して自動的に車高を変え、車速が設定速度になったら自動的に車高を高くし、車速が設定速度以下になると自動的に車高を低くする。
【先行技術文献】
【特許文献】
【０００３】
【特許文献１】特公平８−２２６８０号公報
【発明の概要】
【発明が解決しようとする課題】
【０００４】
車両の車両本体と前輪との相対的な位置を変更可能な前輪側相対位置変更手段と、車両本体と後輪との相対的な位置を変更可能な後輪側相対位置変更手段との両方を用いて車高を調整する機構が考えられる。この機構の場合、走行安定性を保つためには、車高の調整過程においても、車両本体の姿勢が変化しないことが望ましい。
本発明は、車高の調整過程において車両本体の姿勢が変化することを抑制することができる車高調整装置および車高調整方法を提供することを目的とする。
【課題を解決するための手段】
【０００５】
かかる目的のもと、本発明は、車両の車両本体と前輪との相対的な位置である前輪側相対位置を変更可能な前輪側変更手段と、前記車両本体と後輪との相対的な位置である後輪側相対位置を変更可能な後輪側変更手段と、前記前輪側変更手段および前記後輪側変更手段を制御して前記前輪側相対位置および前記後輪側相対位置を変更することで前記車両本体の高さである車高を調整する制御手段と、を備え、前記前輪側変更手段は、前輪側ジャッキ室を形成する前輪側油圧ジャッキと、当該前輪側ジャッキ室に充填される液体量を制御する前輪側電磁弁とを有し、当該前輪側ジャッキ室内に充填された液体量に応じて前記前輪側相対位置を変更し、前記後輪側変更手段は、後輪側ジャッキ室を形成する後輪側油圧ジャッキと、当該後輪側ジャッキ室に充填される液体量を制御する後輪側電磁弁とを有し、当該後輪側ジャッキ室内に充填された液体量に応じて前記後輪側相対位置を変更し、前記制御手段は、前記前輪側電磁弁および前記後輪側電磁弁をＰＷＭ制御することで前記前輪側相対位置の変位量と前記後輪側相対位置の変位量との比を所定範囲内に保持しつつ、前記車高を上昇させることを特徴とする車高調整装置である。
【０００６】
また、他の観点から捉えると、本発明は、車両の車両本体と前輪との相対的な位置である前輪側相対位置を変更可能な前輪側変更手段と、前記車両本体と後輪との相対的な位置である後輪側相対位置を変更可能な後輪側変更手段と、前記前輪側変更手段および前記後輪側変更手段を制御して前記前輪側相対位置および前記後輪側相対位置を変更することで前記車両本体の高さである車高を調整する制御手段と、を備え、前記前輪側変更手段は、前輪側ジャッキ室を形成する前輪側油圧ジャッキと、当該前輪側ジャッキ室に充填される液体量を制御する前輪側電磁弁とを有し、当該前輪側ジャッキ室内に充填された液体量に応じて前記前輪側相対位置を変更し、前記後輪側変更手段は、後輪側ジャッキ室を形成する後輪側油圧ジャッキと、当該後輪側ジャッキ室に充填される液体量を制御する後輪側電磁弁とを有し、当該後輪側ジャッキ室内に充填された液体量に応じて前記後輪側相対位置を変更し、前記制御手段は、前記車高を目標車高まで上昇させる際に当該目標車高にする前記前輪側相対位置および前記後輪側相対位置の目標の相対位置を設定し、当該前輪側相対位置の変化速度についての基準速度に対する実際の変化速度の前輪側比率と、当該後輪側相対位置の変化速度についての基準速度に対する実際の変化速度の後輪側比率との速度比率が所定範囲外である場合には、当該前輪側比率および当該後輪側比率の内の大きい方の比率を小さい方の比率に合わせるように、当該前輪側相対位置または当該後輪側相対位置の目標位置を補正することで、当該速度比率が当該所定範囲内となるように前記前輪側電磁弁および前記後輪側電磁弁をＰＷＭ制御することを特徴とする車高調整装置である。
【０００７】
ここで、前記速度比率は、前記後輪側比率に対する前記前輪側比率の比率であり、前記制御手段は、前記速度比率が前記所定範囲よりも大きい場合には、前記前輪側相対位置の目標位置を補正し、当該速度比率が当該所定範囲よりも小さい場合には、前記後輪側相対位置の目標位置を補正してもよい。
また、前記前輪側変更手段は、衝撃を吸収する前輪側懸架スプリングと、当該前輪側懸架スプリングの端部を支持し、前記前輪側油圧ジャッキとともに前記前輪側ジャッキ室を形成する前輪側支持部材と、をさらに備え、前記前輪側ジャッキ室内に充填された液体量に応じて前記前輪側懸架スプリングの長さを変更して当該前輪側懸架スプリングの荷重を変更することで前記前輪側相対位置を変更し、前記後輪側変更手段は、衝撃を吸収する後輪側懸架スプリングと、当該後輪側懸架スプリングの端部を支持し、前記後輪側油圧ジャッキとともに前記後輪側ジャッキ室を形成する後輪側支持部材と、をさらに備え、前記後輪側ジャッキ室内に充填された液体量に応じて前記後輪側懸架スプリングの長さを変更して当該後輪側懸架スプリングの荷重を変更することで前記後輪側相対位置を変更してもよい。
【０００８】
また、他の観点から捉えると、本発明は、前輪側ジャッキ室を形成する前輪側油圧ジャッキと、当該前輪側ジャッキ室に充填される液体量を制御する前輪側電磁弁とを有し、当該前輪側ジャッキ室内に充填された液体量に応じて車両本体と前輪との相対的な位置である前輪側相対位置を変更可能な前輪側変更手段と、後輪側ジャッキ室を形成する後輪側油圧ジャッキと、当該後輪側ジャッキ室に充填される液体量を制御する後輪側電磁弁とを有し、当該後輪側ジャッキ室内に充填された液体量に応じて車両本体と後輪との相対的な位置である後輪側相対位置を変更可能な後輪側変更手段とを備える車両の当該前輪側相対位置および当該後輪側相対位置を変更することで車両本体の高さである車高を調整する車高調整方法であって、前記前輪側電磁弁および前記後輪側電磁弁をＰＷＭ制御することで、前記前輪側相対位置の変位量と前記後輪側相対位置の変位量との比を所定範囲内に保持しつつ、前記車高を上昇させることを特徴とする車高調整方法である。
【０００９】
また、他の観点から捉えると、本発明は、前輪側ジャッキ室を形成する前輪側油圧ジャッキと、当該前輪側ジャッキ室に充填される液体量を制御する前輪側電磁弁とを有し、当該前輪側ジャッキ室内に充填された液体量に応じて車両本体と前輪との相対的な位置である前輪側相対位置を変更可能な前輪側変更手段と、後輪側ジャッキ室を形成する後輪側油圧ジャッキと、当該後輪側ジャッキ室に充填される液体量を制御する後輪側電磁弁とを有し、当該後輪側ジャッキ室内に充填された液体量に応じて車両本体と後輪との相対的な位置である後輪側相対位置を変更可能な後輪側変更手段とを備える車両の当該前輪側相対位置および当該後輪側相対位置を変更することで車両本体の高さである車高を調整する車高調整方法であって、前記車高を目標車高まで上昇させる際に当該目標車高にする前記前輪側相対位置および前記後輪側相対位置の目標の相対位置を設定し、当該前輪側相対位置の変化速度についての基準速度に対する実際の変化速度の前輪側比率と、当該後輪側相対位置の変化速度についての基準速度に対する実際の変化速度の後輪側比率との速度比率が所定範囲外である場合には、当該前輪側比率および当該後輪側比率の内の大きい方の比率を小さい方の比率に合わせるように、当該前輪側相対位置または当該後輪側相対位置の目標位置を補正することで、当該速度比率が当該所定範囲内となるように、前記前輪側電磁弁および前記後輪側電磁弁をＰＷＭ制御することを特徴とする車高調整方法である。
また、前記前輪側変更手段は、衝撃を吸収する前輪側懸架スプリングと、当該前輪側懸架スプリングの端部を支持し、前記前輪側油圧ジャッキとともに前記前輪側ジャッキ室を形成する前輪側支持部材と、をさらに備え、前記前輪側ジャッキ室内に充填された液体量に応じて前記前輪側懸架スプリングの長さを変更して当該前輪側懸架スプリングの荷重を変更することで前記前輪側相対位置を変更し、前記後輪側変更手段は、衝撃を吸収する後輪側懸架スプリングと、当該後輪側懸架スプリングの端部を支持し、前記後輪側油圧ジャッキとともに前記後輪側ジャッキ室を形成する後輪側支持部材と、をさらに備え、前記後輪側ジャッキ室内に充填された液体量に応じて前記後輪側懸架スプリングの長さを変更して当該後輪側懸架スプリングの荷重を変更することで前記後輪側相対位置を変更してもよい。
【発明の効果】
【００１０】
本発明によれば、車高の調整過程において車両本体の姿勢が変化することを抑制することができる。
【図面の簡単な説明】
【００１１】
【図１】実施の形態に係る自動二輪車の概略構成を示す図である。
【図２】リヤサスペンションの断面図である。
【図３】（ａ）および（ｂ）は、後輪側液体供給装置の作用を説明するための図である。
【図４】（ａ）および（ｂ）は、後輪側相対位置変更装置による車高調整を説明するための図である。
【図５】車高が維持されるメカニズムを示す図である。
【図６】フロントフォークの断面図である。
【図７】（ａ）および（ｂ）は、前輪側液体供給装置の作用を説明するための図である。
【図８】（ａ）および（ｂ）は、前輪側相対位置変更装置による車高調整を説明するための図である。
【図９】車高が維持されるメカニズムを示す図である。
【図１０】（ａ）は、前輪側電磁弁の概略構成を示す図であり、（ｂ）は、後輪側電磁弁の概略構成を示す図である。
【図１１】制御装置のブロック図である。
【図１２】電磁弁制御部のブロック図である。
【図１３】車高調整スイッチの外観図である。
【図１４】（ａ）は、車速と前輪側目標移動量との相関関係を示す図である。（ｂ）は、車速と後輪側目標移動量との相関関係を示す図である。
【図１５】前輪側移動速度と後輪側移動速度との基準となる関係を示す図である。
【図１６】（ａ）、（ｂ）および（ｃ）は、第１の実施例に係る電磁弁制御部の制御態様を示す図である。
【図１７】電磁弁制御部が行う開度制御処理の手順を示すフローチャートである。
【図１８】電磁弁制御部が行う前後調整処理の第１の実施例の手順を示すフローチャートである。
【図１９】（ａ）および（ｂ）は、第２の本実施例に係る電磁弁制御部の制御態様を示す図である。
【図２０】電磁弁制御部が行う前後調整処理の第２の実施例の手順を示すフローチャートである。
【発明を実施するための形態】
【００１２】
以下、添付図面を参照して、本発明の実施の形態について詳細に説明する。
図１は、実施の形態に係る自動二輪車１の概略構成を示す図である。
自動二輪車１は、図１に示すように、車体フレーム１１と、この車体フレーム１１の前端部に取り付けられているヘッドパイプ１２と、このヘッドパイプ１２に設けられた２つのフロントフォーク１３と、この２つのフロントフォーク１３の下端に取り付けられた前輪１４と、を有している。２つのフロントフォーク１３は、前輪１４の左側と右側にそれぞれ１つずつ配置されている。図１では、右側に配置されたフロントフォーク１３のみを示している。このフロントフォーク１３の具体的構成については後で詳述する。
また、自動二輪車１は、フロントフォーク１３の上部に取り付けられたハンドル１５と、車体フレーム１１の前上部に取り付けられた燃料タンク１６と、この燃料タンク１６の下方に配置されたエンジン１７および変速機１８と、を有している。
【００１３】
また、自動二輪車１は、車体フレーム１１の後上部に取り付けられたシート１９と、車体フレーム１１の下部にスイング自在に取り付けられたスイングアーム２０と、このスイングアーム２０の後端に取り付けられた後輪２１と、スイングアーム２０の後部（後輪２１）と車体フレーム１１の後部との間に取り付けられた２つのリヤサスペンション２２と、を有している。２つのリヤサスペンション２２は、後輪２１の左側と右側にそれぞれ１つずつ配置されている。図１では、右側に配置されたリヤサスペンション２２のみを示している。このリヤサスペンション２２の具体的構成については後で詳述する。
【００１４】
また、自動二輪車１は、ヘッドパイプ１２の前方に配置されたヘッドランプ２３と、前輪１４の上部を覆うようにフロントフォーク１３に取り付けられたフロントフェンダ２４と、シート１９の後方に配置されたテールランプ２５と、このテールランプ２５の下方に後輪２１の上部を覆うように取り付けられたリヤフェンダ２６と、を有している。また、自動二輪車１は、前輪１４の回転を停止するブレーキ２７を有している。
【００１５】
また、自動二輪車１は、前輪１４の回転角度を検出する前輪回転検出センサ３１と、後輪２１の回転角度を検出する後輪回転検出センサ３２と、を有している。
また、自動二輪車１は、フロントフォーク１３の後述する前輪側電磁弁２７０およびリヤサスペンション２２の後述する後輪側電磁弁１７０の開度を制御することで自動二輪車１の車両本体の一例としての車体フレーム１１の高さである車高を制御する制御手段の一例としての制御装置５０を備えている。制御装置５０には、上述した前輪回転検出センサ３１、後輪回転検出センサ３２などからの出力信号が入力される。
【００１６】
次に、リヤサスペンション２２について詳述する。
図２は、リヤサスペンション２２の断面図である。
リヤサスペンション２２は、自動二輪車１の車体フレーム１１と後輪２１との間に取り付けられている。そして、リヤサスペンション２２は、自動二輪車１の車重を支えて衝撃を吸収する後輪側懸架スプリング１１０と、後輪側懸架スプリング１１０の振動を減衰する後輪側ダンパ１２０と、を備えている。また、リヤサスペンション２２は、後輪側懸架スプリング１１０のバネ力を調整することで車体フレーム１１と後輪２１との相対的な位置である後輪側相対位置を変更可能な後輪側相対位置変更装置１４０と、この後輪側相対位置変更装置１４０に液体を供給する後輪側液体供給装置１６０と、を備えている。また、リヤサスペンション２２は、このリヤサスペンション２２を車体フレーム１１に取り付けるための車体側取付部材１８４と、リヤサスペンション２２を後輪２１に取り付けるための車軸側取付部材１８５と、車軸側取付部材１８５に取り付けられて後輪側懸架スプリング１１０における中心線方向の一方の端部（図２においては下部）を支持するばね受け１９０と、を備えている。リヤサスペンション２２は、車体フレーム１１と後輪２１との相対的な位置を変更する後輪側変更手段の一例として機能する。
【００１７】
後輪側ダンパ１２０は、図２に示すように、薄肉円筒状の外シリンダ１２１と、外シリンダ１２１内に収容される薄肉円筒状の内シリンダ１２２と、円筒状の外シリンダ１２１の円筒の中心線方向（図２では上下方向）の一方の端部（図２では下部）を塞ぐ底蓋１２３と、内シリンダ１２２の中心線方向の他方の端部（図２では上部）を塞ぐ上蓋１２４と、を有するシリンダ１２５を備えている。以下では、外シリンダ１２１の円筒の中心線方向を、単に「中心線方向」と称す。
【００１８】
また、後輪側ダンパ１２０は、中心線方向に移動可能に内シリンダ１２２内に挿入されたピストン１２６と、中心線方向に延びるとともに中心線方向の他方の端部（図２では上端部）でピストン１２６を支持するピストンロッド１２７と、を備えている。ピストン１２６は、内シリンダ１２２の内周面に接触し、シリンダ１２５内の液体（本実施の形態においてはオイル）が封入された空間を、ピストン１２６よりも中心線方向の一方の端部側の第１油室１３１と、ピストン１２６よりも中心線方向の他方の端部側の第２油室１３２とに区分する。ピストンロッド１２７は、円筒状の部材であり、その内部に後述するパイプ１６１が挿入されている。
【００１９】
また、後輪側ダンパ１２０は、ピストンロッド１２７における中心線方向の他方の端部側に配置された第１減衰力発生装置１２８と、内シリンダ１２２における中心線方向の他方の端部側に配置された第２減衰力発生装置１２９とを備えている。第１減衰力発生装置１２８および第２減衰力発生装置１２９は、後輪側懸架スプリング１１０による路面からの衝撃力の吸収に伴うシリンダ１２５とピストンロッド１２７との伸縮振動を減衰する。第１減衰力発生装置１２８は、第１油室１３１と第２油室１３２との間の連絡路として機能するように配置されており、第２減衰力発生装置１２９は、第２油室１３２と後輪側相対位置変更装置１４０の後述するジャッキ室１４２との間の連絡路として機能するように配置されている。
【００２０】
後輪側液体供給装置１６０は、シリンダ１２５に対するピストンロッド１２７の伸縮動によりポンピング動作して後輪側相対位置変更装置１４０の後述するジャッキ室１４２内に液体を供給する装置である。
後輪側液体供給装置１６０は、後輪側ダンパ１２０の上蓋１２４に中心線方向に延びるように固定された円筒状のパイプ１６１を有している。パイプ１６１は、円筒状のピストンロッド１２７の内部であるポンプ室１６２内に同軸的に挿入されている。
【００２１】
また、後輪側液体供給装置１６０は、シリンダ１２５およびパイプ１６１に進入する方向のピストンロッド１２７の移動により加圧されたポンプ室１６２内の液体を後述するジャッキ室１４２側へ吐出させる吐出用チェック弁１６３と、シリンダ１２５およびパイプ１６１から退出する方向のピストンロッド１２７の移動により負圧になるポンプ室１６２にシリンダ１２５内の液体を吸い込む吸込用チェック弁１６４とを有する。
【００２２】
図３（ａ）および図３（ｂ）は、後輪側液体供給装置１６０の作用を説明するための図である。
以上のように構成された後輪側液体供給装置１６０は、自動二輪車１が走行してリヤサスペンション２２が路面の凹凸により力を受けると、ピストンロッド１２７がシリンダ１２５およびパイプ１６１に進退する伸縮動によりポンピング動作する。このポンピング動作により、ポンプ室１６２が加圧されると、ポンプ室１６２内の液体が吐出用チェック弁１６３を開いて後輪側相対位置変更装置１４０のジャッキ室１４２側へ吐出され（図３（ａ）参照）、ポンプ室１６２が負圧になると、シリンダ１２５の第２油室１３２内の液体が吸込用チェック弁１６４を開いてポンプ室１６２に吸い込まれる（図３（ｂ）参照）。
【００２３】
後輪側相対位置変更装置１４０は、後輪側ダンパ１２０のシリンダ１２５の外周を覆うように配置されて後輪側懸架スプリング１１０における中心線方向の他方の端部（図３では上部）を支持する支持部材１４１と、シリンダ１２５における中心線方向の他方の端部側（図３では上側）の外周を覆うように配置されて支持部材１４１とともにジャッキ室１４２を形成する油圧ジャッキ１４３とを有している。ジャッキ室１４２内にシリンダ１２５内の液体が充填されたり、ジャッキ室１４２内から液体が排出されたりすることで、支持部材１４１が油圧ジャッキ１４３に対して中心線方向に移動する。そして、油圧ジャッキ１４３には、上部に車体側取付部材１８４が取り付けられており、支持部材１４１が油圧ジャッキ１４３に対して中心線方向に移動することで後輪側懸架スプリング１１０のバネ力が変わり、その結果、後輪２１に対するシート１９の相対的な位置が変わる。
【００２４】
また、後輪側相対位置変更装置１４０は、ジャッキ室１４２と油圧ジャッキ１４３に形成された液体溜室１４３ａとの間の流体の流通経路上に設けられて、ジャッキ室１４２に供給された液体をジャッキ室１４２に溜めるように閉弁するとともに、ジャッキ室１４２に供給された液体を、油圧ジャッキ１４３に形成された液体溜室１４３ａに排出するように開弁する電磁弁（ソレノイドバルブ）である後輪側電磁弁１７０を有している。後輪側電磁弁１７０については後で詳述する。なお、液体溜室１４３ａに排出された液体は、シリンダ１２５内に戻される。
【００２５】
図４（ａ）および図４（ｂ）は、後輪側相対位置変更装置１４０による車高調整を説明するための図である。
後輪側電磁弁１７０が全開状態から少しでも閉じた状態のときに、後輪側液体供給装置１６０によりジャッキ室１４２内に液体が供給されるとジャッキ室１４２内に液体が充填され、支持部材１４１が油圧ジャッキ１４３に対して中心線方向の一方の端部側（図４（ａ）では下側）に移動し、後輪側懸架スプリング１１０のバネ長が短くなる（図４（ａ）参照）。他方、後輪側電磁弁１７０が全開になるとジャッキ室１４２内の液体は液体溜室１４３ａに排出され、支持部材１４１が油圧ジャッキ１４３に対して中心線方向の他方の端部側（図４（ｂ）では上側）に移動し、後輪側懸架スプリング１１０のバネ長が長くなる（図４（ｂ）参照）。
【００２６】
支持部材１４１が油圧ジャッキ１４３に対して移動することで後輪側懸架スプリング１１０のバネ長が短くなると、支持部材１４１が油圧ジャッキ１４３に対して移動する前と比べて後輪側懸架スプリング１１０が支持部材１４１を押すバネ力が大きくなる。その結果、車体フレーム１１から後輪２１側へ力が作用したとしても両者の相対位置を変化させない初期セット荷重が切り替わる。かかる場合、車体フレーム１１（シート１９）側から中心線方向の一方の端部側（図４（ａ）および図４（ｂ）では下側）に同じ力が作用した場合には、リヤサスペンション２２の沈み込み量（車体側取付部材１８４と車軸側取付部材１８５との間の距離の変化）が小さくなる。それゆえ、支持部材１４１が油圧ジャッキ１４３に対して移動することで後輪側懸架スプリング１１０のバネ長が短くなると、支持部材１４１が油圧ジャッキ１４３に対して移動する前と比べて、シート１９の高さが上昇する（車高が高くなる）。つまり、後輪側電磁弁１７０の開度が小さくなることで車高が高くなる。
【００２７】
他方、支持部材１４１が油圧ジャッキ１４３に対して移動することで後輪側懸架スプリング１１０のバネ長が長くなると、支持部材１４１が油圧ジャッキ１４３に対して移動する前と比べて後輪側懸架スプリング１１０が支持部材１４１を押すバネ力が小さくなる。かかる場合、車体フレーム１１（シート１９）側から中心線方向の一方の端部側（図４（ａ）および図４（ｂ）では下側）に同じ力が作用した場合には、リヤサスペンション２２の沈み込み量（車体側取付部材１８４と車軸側取付部材１８５との間の距離の変化）が大きくなる。それゆえ、支持部材１４１が油圧ジャッキ１４３に対して移動することで後輪側懸架スプリング１１０のバネ長が長くなると、支持部材１４１が油圧ジャッキ１４３に対して移動する前と比べて、シート１９の高さが下降する（車高が低くなる）。つまり、後輪側電磁弁１７０の開度が大きくなるに応じて車高が低くなる。
なお、後輪側電磁弁１７０は、制御装置５０によりその開度が制御される。
また、後輪側電磁弁１７０が開いたときに、ジャッキ室１４２に供給された液体を排出する先は、シリンダ１２５内の第１油室１３１および／または第２油室１３２であってもよい。
【００２８】
また、図２に示すように、シリンダ１２５の外シリンダ１２１には、支持部材１４１が油圧ジャッキ１４３に対して中心線方向の一方の端部側（図２では下側）に予め定められた限界位置まで移動したときに、ジャッキ室１４２内の液体をシリンダ１２５内まで戻す戻し路１２１ａが形成されている。
図５は、車高が維持されるメカニズムを示す図である。
戻し路１２１ａにより、後輪側電磁弁１７０が全閉しているときにジャッキ室１４２内に液体が供給され続けても、供給された液体がシリンダ１２５内に戻されるので油圧ジャッキ１４３に対する支持部材１４１の位置、ひいてはシート１９の高さ（車高）が維持される。
【００２９】
なお、以下では、後輪側電磁弁１７０が全開となり、支持部材１４１の油圧ジャッキ１４３に対する移動量が最小（零）であるときのリヤサスペンション２２の状態を最小状態、後輪側電磁弁１７０が全閉となり、支持部材１４１の油圧ジャッキ１４３に対する移動量が最大となったときのリヤサスペンション２２の状態を最大状態と称す。
【００３０】
また、リヤサスペンション２２は、後輪側相対位置検出部１９５（図１１参照）を有している。後輪側相対位置検出部１９５としては、油圧ジャッキ１４３に対する支持部材１４１の中心線方向への移動量、言い換えれば車体側取付部材１８４に対する支持部材１４１の中心線方向への移動量を検出する物であることを例示することができる。具体的には、支持部材１４１の外周面にコイルを巻くとともに、油圧ジャッキ１４３を磁性体とし、油圧ジャッキ１４３に対する支持部材１４１の中心線方向への移動に応じて変化するコイルのインピーダンスに基づいて支持部材１４１の移動量を検出する物であることを例示することができる。
【００３１】
次に、フロントフォーク１３について詳述する。
図６は、フロントフォーク１３の断面図である。
フロントフォーク１３は、車体フレーム１１と前輪１４との間に取り付けられている。そして、フロントフォーク１３は、自動二輪車１の車重を支えて衝撃を吸収する前輪側懸架スプリング２１０と、前輪側懸架スプリング２１０の振動を減衰する前輪側ダンパ２２０と、を備えている。また、フロントフォーク１３は、前輪側懸架スプリング２１０のバネ力を調整することで車体フレーム１１と前輪１４との相対的な位置である前輪側相対位置を変更可能な前輪側相対位置変更装置２４０と、この前輪側相対位置変更装置２４０に液体を供給する前輪側液体供給装置２６０と、を備えている。また、フロントフォーク１３は、このフロントフォーク１３を前輪１４に取り付けるための車軸側取付部２８５と、フロントフォーク１３をヘッドパイプ１２に取り付けるためのヘッドパイプ側取付部（不図示）と、を備えている。フロントフォーク１３は、車体フレーム１１と前輪１４との相対的な位置を変更する前輪側変更手段の一例として機能する。
【００３２】
前輪側ダンパ２２０は、図６に示すように、薄肉円筒状の外シリンダ２２１と、円筒状の外シリンダ２２１の中心線方向（図６では上下方向）の他方の端部（図６では上部）から一方の端部（図６では下部）が挿入された薄肉円筒状の内シリンダ２２２と、外シリンダ２２１の中心線方向の一方の端部（図６では下部）を塞ぐ底蓋２２３と、内シリンダ２２２の中心線方向の他方の端部（図６では上部）を塞ぐ上蓋２２４と、を有するシリンダ２２５を備えている。内シリンダ２２２は、外シリンダ２２１に対して摺動可能に挿入されている。
【００３３】
また、前輪側ダンパ２２０は、中心線方向に延びるように底蓋２２３に取り付けられたピストンロッド２２７を備えている。ピストンロッド２２７は、中心線方向に延びる円筒状の円筒状部２２７ａと、円筒状部２２７ａにおける中心線方向の他方の端部（図６では上部）に設けられた円板状のフランジ部２２７ｂとを有する。
また、前輪側ダンパ２２０は、内シリンダ２２２における中心線方向の一方の端部側（図６では下側）に固定されるとともに、ピストンロッド２２７の円筒状部２２７ａの外周に対して摺動可能なピストン２２６を備えている。ピストン２２６は、ピストンロッド２２７の円筒状部２２７ａの外周面に接触し、シリンダ２２５内の液体（本実施の形態においてはオイル）が封入された空間を、ピストン２２６よりも中心線方向の一方の端部側の第１油室２３１と、ピストン２２６よりも中心線方向の他方の端部側の第２油室２３２とに区分する。
【００３４】
また、前輪側ダンパ２２０は、ピストンロッド２２７の上方に設けられてピストンロッド２２７の円筒状部２２７ａの開口を覆う覆い部材２３０を備えている。覆い部材２３０は、前輪側懸架スプリング２１０における中心線方向の一方の端部（図６では下部）を支持する。そして、前輪側ダンパ２２０は、内シリンダ２２２内における覆い部材２３０よりも中心線方向の他方の端部側の空間およびピストンロッド２２７の円筒状部２２７ａの内部の空間に形成された油溜室２３３を有している。油溜室２３３は、常に第１油室２３１および第２油室２３２と連通している。
【００３５】
また、前輪側ダンパ２２０は、ピストン２２６に設けられた第１減衰力発生部２２８と、ピストンロッド２２７に形成された第２減衰力発生部２２９とを備えている。第１減衰力発生部２２８および第２減衰力発生部２２９は、前輪側懸架スプリング２１０による路面からの衝撃力の吸収に伴う内シリンダ２２２とピストンロッド２２７との伸縮振動を減衰する。第１減衰力発生部２２８は、第１油室２３１と第２油室２３２との間の連絡路として機能するように配置されており、第２減衰力発生部２２９は、第１油室２３１、第２油室２３２と油溜室２３３との間の連絡路として機能するように形成されている。
【００３６】
前輪側液体供給装置２６０は、内シリンダ２２２に対するピストンロッド２２７の伸縮動によりポンピング動作して前輪側相対位置変更装置２４０の後述するジャッキ室２４２内に液体を供給する装置である。
前輪側液体供給装置２６０は、前輪側ダンパ２２０の覆い部材２３０に中心線方向に延びるように固定された円筒状のパイプ２６１を有している。パイプ２６１は、後述する前輪側相対位置変更装置２４０の支持部材２４１の下側円筒状部２４１ａの内部であるポンプ室２６２内に同軸的に挿入されている。
【００３７】
また、前輪側液体供給装置２６０は、内シリンダ２２２に進入する方向のピストンロッド２２７の移動により加圧されたポンプ室２６２内の液体を後述するジャッキ室２４２側へ吐出させる吐出用チェック弁２６３と、内シリンダ２２２から退出する方向のピストンロッド２２７の移動により負圧になるポンプ室２６２に油溜室２３３内の液体を吸い込む吸込用チェック弁２６４とを有する。
【００３８】
図７（ａ）および図７（ｂ）は、前輪側液体供給装置２６０の作用を説明するための図である。
以上のように構成された前輪側液体供給装置２６０は、自動二輪車１が走行してフロントフォーク１３が路面の凹凸により力を受けて、ピストンロッド２２７が内シリンダ２２２に進退すると、パイプ２６１が前輪側相対位置変更装置２４０の支持部材２４１に進退することによりポンピング動作する。このポンピング動作により、ポンプ室２６２が加圧されると、ポンプ室２６２内の液体が吐出用チェック弁２６３を開いて前輪側相対位置変更装置２４０のジャッキ室２４２側へ吐出され（図７（ａ）参照）、ポンプ室２６２が負圧になると、油溜室２３３内の液体が吸込用チェック弁２６４を開いてポンプ室２６２に吸い込まれる（図７（ｂ）参照）。
【００３９】
前輪側相対位置変更装置２４０は、前輪側ダンパ２２０の内シリンダ２２２内に配置されるとともに、円板状のスプリング受け２４４を介して前輪側懸架スプリング２１０における中心線方向の他方の端部（図７では上部）を支持する支持部材２４１を備えている。支持部材２４１は、中心線方向の一方の端部側（図７では下側）において円筒状に形成された下側円筒状部２４１ａと、中心線方向の他方の端部側（図７では上側）において円筒状に形成された上側円筒状部２４１ｂとを有している。下側円筒状部２４１ａには、パイプ２６１が挿入される。
【００４０】
また、前輪側相対位置変更装置２４０は、支持部材２４１の上側円筒状部２４１ｂ内に嵌め込まれて支持部材２４１とともにジャッキ室２４２を形成する油圧ジャッキ２４３を有している。ジャッキ室２４２内にシリンダ２２５内の液体が充填されたり、ジャッキ室２４２内から液体が排出されたりすることで、支持部材２４１が油圧ジャッキ２４３に対して中心線方向に移動する。そして、油圧ジャッキ２４３には、上部にヘッドパイプ側取付部（不図示）が取り付けられており、支持部材２４１が油圧ジャッキ２４３に対して中心線方向に移動することで前輪側懸架スプリング２１０のバネ力が変わり、その結果、前輪１４に対するシート１９（車体フレーム１１）の相対的な位置が変わる。
【００４１】
また、前輪側相対位置変更装置２４０は、ジャッキ室２４２と油溜室２３３との間の流体の流通経路上に設けられて、ジャッキ室２４２に供給された液体をジャッキ室２４２に溜めるように閉弁するとともに、ジャッキ室２４２に供給された液体を油溜室２３３に排出するように開弁する電磁弁（ソレノイドバルブ）である前輪側電磁弁２７０を有している。前輪側電磁弁２７０については後で詳述する。
【００４２】
図８（ａ）および図８（ｂ）は、前輪側相対位置変更装置２４０による車高調整を説明するための図である。
前輪側電磁弁２７０が全開状態から少しでも閉じた状態のときに、前輪側液体供給装置２６０によりジャッキ室２４２内に液体が供給されるとジャッキ室２４２内に液体が充填され、支持部材２４１が油圧ジャッキ２４３に対して中心線方向の一方の端部側（図８（ａ）では下側）に移動し、前輪側懸架スプリング２１０のバネ長が短くなる（図８（ａ）参照）。他方、前輪側電磁弁２７０が全開になるとジャッキ室２４２内の液体は油溜室２３３に排出され、支持部材２４１が油圧ジャッキ２４３に対して中心線方向の他方の端部側（図８（ｂ）では上側）に移動し、前輪側懸架スプリング２１０のバネ長が長くなる（図８（ｂ）参照）。
【００４３】
支持部材２４１が油圧ジャッキ２４３に対して移動することで前輪側懸架スプリング２１０のバネ長が短くなると、支持部材２４１が油圧ジャッキ２４３に対して移動する前と比べて前輪側懸架スプリング２１０が支持部材２４１を押すバネ力が大きくなる。その結果、車体フレーム１１から前輪１４側へ力が作用したとしても両者の相対位置を変化させない初期セット荷重が切り替わる。かかる場合、車体フレーム１１（シート１９）側から中心線方向の一方の端部側（図８（ａ）および図８（ｂ）では下側）に同じ力が作用した場合には、フロントフォーク１３の沈み込み量（ヘッドパイプ側取付部（不図示）と車軸側取付部２８５との間の距離の変化）が小さくなる。それゆえ、支持部材２４１が油圧ジャッキ２４３に対して移動することで前輪側懸架スプリング２１０のバネ長が短くなると、支持部材２４１が油圧ジャッキ２４３に対して移動する前と比べて、シート１９の高さが上昇する（車高が高くなる）。つまり、前輪側電磁弁２７０の開度が小さくなることで車高が高くなる。
【００４４】
他方、支持部材２４１が油圧ジャッキ２４３に対して移動することで前輪側懸架スプリング２１０のバネ長が長くなると、支持部材２４１が油圧ジャッキ２４３に対して移動する前と比べて前輪側懸架スプリング２１０が支持部材２４１を押すバネ力が小さくなる。かかる場合、車体フレーム１１（シート１９）側から中心線方向の一方の端部側（図８（ａ）および図８（ｂ）では下側）に同じ力が作用した場合には、フロントフォーク１３の沈み込み量（ヘッドパイプ側取付部（不図示）と車軸側取付部２８５との間の距離の変化）が大きくなる。それゆえ、支持部材２４１が油圧ジャッキ２４３に対して移動することで前輪側懸架スプリング２１０のバネ長が長くなると、支持部材２４１が油圧ジャッキ２４３に対して移動する前と比べて、シート１９の高さが下降する（車高が低くなる）。つまり、前輪側電磁弁２７０の開度が大きくなるに応じて車高が低くなる。
なお、前輪側電磁弁２７０は、制御装置５０によりその開度が制御される。
また、前輪側電磁弁２７０が開いたときに、ジャッキ室２４２に供給された液体を排出する先は、第１油室２３１および／または第２油室２３２であってもよい。
【００４５】
図９は、車高が維持されるメカニズムを示す図である。
油圧ジャッキ２４３の外周面には、図９に示すように、支持部材２４１が油圧ジャッキ２４３に対して中心線方向の一方の端部側（図８（ａ）および図８（ｂ）では下側）に予め定められた限界位置まで移動したときに、ジャッキ室２４２内の液体を油溜室２３３内まで戻す戻し路（不図示）が形成されている。
戻し路により、前輪側電磁弁２７０が閉弁しているときにジャッキ室２４２内に液体が供給され続けても、供給された液体が油溜室２３３内に戻されるので油圧ジャッキ２４３に対する支持部材２４１の位置、ひいてはシート１９の高さ（車高）が維持される。
【００４６】
なお、以下では、前輪側電磁弁２７０が全開となり、支持部材２４１の油圧ジャッキ２４３に対する移動量が最小（零）であるときのフロントフォーク１３の状態を最小状態、前輪側電磁弁２７０が全閉となり、支持部材２４１の油圧ジャッキ２４３に対する移動量が最大となったときのフロントフォーク１３の状態を最大状態と称す。
【００４７】
また、フロントフォーク１３は、前輪側相対位置検出部２９５（図１１参照）を有している。前輪側相対位置検出部２９５としては、油圧ジャッキ２４３に対する支持部材２４１の中心線方向への移動量、言い換えればヘッドパイプ側取付部に対する支持部材２４１の中心線方向への移動量を検出する物であることを例示することができる。具体的には、半径方向の位置では内シリンダ２２２の外周面であって、中心線方向の位置では支持部材２４１に対応する位置にコイルを巻くとともに、支持部材２４１を磁性体とし、油圧ジャッキ２４３に対する支持部材２４１の中心線方向への移動に応じて変化するコイルのインピーダンスに基づいて支持部材２４１の移動量を検出する物であることを例示することができる。
【００４８】
次に、前輪側相対位置変更装置２４０の前輪側電磁弁２７０および後輪側相対位置変更装置１４０の後輪側電磁弁１７０の概略構成について説明する。
図１０（ａ）は、前輪側電磁弁２７０の概略構成を示す図であり、図１０（ｂ）は、後輪側電磁弁１７０の概略構成を示す図である。
前輪側電磁弁２７０は、いわゆるノーマルオープンタイプの電磁弁であり、図１０（ａ）に示すように、コイル２７１を巻いたボビン２７２と、ボビン２７２の中空部２７２ａに固定された棒状の固定鉄心２７３と、コイル２７１とボビン２７２と固定鉄心２７３を支持するホルダ２７４と、固定鉄心２７３の先端（端面）に対応して配置され、固定鉄心２７３に吸引される略円板状の可動鉄心２７５と、を備えている。また、前輪側電磁弁２７０は、可動鉄心２７５の先端中央に固定された弁体２７６と、ホルダ２７４と組み合わされるボディ２７７と、ボディ２７７に形成され、弁体２７６が配置される弁室２７８と、ボディ２７７に形成された開口部を覆うとともにボディ２７７と協働して弁室２７８を形成する覆い部材２７９と、弁体２７６と覆い部材２７９との間に配置されたコイルスプリング２８０と、を備えている。また、前輪側電磁弁２７０は、ボディ２７７に形成され、弁体２７６に対応して弁室２７８に配置された弁座２８１と、ボディ２７７に形成され、ジャッキ室２４２（図９参照）から弁室２７８に流体を導入する導入流路２８２と、ボディ２７７に形成され、弁室２７８から弁座２８１を経由して油溜室２３３の方へ流体を導出する導出流路２８３と、を備えている。
【００４９】
後輪側電磁弁１７０は、いわゆるノーマルオープンタイプの電磁弁であり、図１０（ｂ）に示すように、コイル１７１を巻いたボビン１７２と、ボビン１７２の中空部１７２ａに固定された棒状の固定鉄心１７３と、コイル１７１とボビン１７２と固定鉄心１７３を支持するホルダ１７４と、固定鉄心１７３の先端（端面）に対応して配置され、固定鉄心１７３に吸引される略円板状の可動鉄心１７５と、を備えている。また、後輪側電磁弁１７０は、可動鉄心１７５の先端中央に固定された弁体１７６と、ホルダ１７４と組み合わされるボディ１７７と、ボディ１７７に形成され、弁体１７６が配置される弁室１７８と、ボディ１７７に形成された開口部を覆うとともにボディ１７７と協働して弁室１７８を形成する覆い部材１７９と、弁体１７６と覆い部材１７９との間に配置されたコイルスプリング１８０と、を備えている。また、後輪側電磁弁１７０は、ボディ１７７に形成され、弁体１７６に対応して弁室１７８に配置された弁座１８１と、ボディ１７７に形成され、ジャッキ室１４２（図５参照）から弁室１７８に流体を導入する導入流路１８２と、ボディ１７７に形成され、弁室１７８から弁座１８１を経由して液体溜室１４３ａの方へ流体を導出する導出流路１８３と、を備えている。
【００５０】
このように構成された前輪側電磁弁２７０，後輪側電磁弁１７０は、コイル２７１,１７１に通電されない非通電時には、コイルスプリング２８０，１８０によって可動鉄心２７５,１７５が図中下方へ付勢されるので、可動鉄心２７５,１７５の先端（端面）に固定されている弁体２７６,１７６が弁座２８１,１８１に当接しない。このため、前輪側電磁弁２７０および後輪側電磁弁１７０は、導入流路２８２,１８２と導出流路２８３,１８３との間が連通され、弁開状態となる。一方、前輪側電磁弁２７０，後輪側電磁弁１７０は、コイル２７１,１７１に通電される通電時には、コイル２７１,１７１が通電により励磁されるときの固定鉄心２７３,１７３の吸引力とコイルスプリング２８０，１８０の付勢力との釣り合いにより可動鉄心２７５,１７５が変位する。前輪側電磁弁２７０および後輪側電磁弁１７０は、弁座２８１,１８１に対する弁体２７６,１７６の位置、すなわち弁の開度が調整されるようになっている。この弁の開度は、コイル２７１,１７１に供給される電力（電流・電圧）を変えることにより調整される。
【００５１】
次に、制御装置５０について説明する。
図１１は、制御装置５０のブロック図である。
制御装置５０は、ＣＰＵと、ＣＰＵにて実行されるプログラムや各種データ等が記憶されたＲＯＭと、ＣＰＵの作業用メモリ等として用いられるＲＡＭと、を備えている。制御装置５０には、上述した前輪回転検出センサ３１、後輪回転検出センサ３２、前輪側相対位置検出部２９５および後輪側相対位置検出部１９５などからの出力信号が入力される。
【００５２】
制御装置５０は、前輪回転検出センサ３１からの出力信号を基に前輪１４の回転速度を演算する前輪回転速度演算部５１と、後輪回転検出センサ３２からの出力信号を基に後輪２１の回転速度を演算する後輪回転速度演算部５２と、を備えている。これら前輪回転速度演算部５１、後輪回転速度演算部５２は、それぞれ、センサからの出力信号であるパルス信号を基に回転角度を把握し、それを経過時間で微分することで回転速度を演算する。
【００５３】
制御装置５０は、前輪側相対位置検出部２９５からの出力信号を基に前輪側相対位置変更装置２４０（図８（ａ）および図８（ｂ）参照）の支持部材２４１の油圧ジャッキ２４３に対する移動量である前輪側移動量Ｌｆを把握する前輪側移動量把握部５３を備えている。また、制御装置５０は、後輪側相対位置検出部１９５からの出力信号を基に後輪側相対位置変更装置１４０の支持部材１４１の油圧ジャッキ１４３に対する移動量である後輪側移動量Ｌｒを把握する後輪側移動量把握部５４を備えている。前輪側移動量把握部５３および後輪側移動量把握部５４は、予めＲＯＭに記憶された、コイルのインピーダンスと、前輪側移動量Ｌｆまたは後輪側移動量Ｌｒとの相関関係に基づいて、それぞれ前輪側移動量Ｌｆ、後輪側移動量Ｌｒを把握する。
【００５４】
また、制御装置５０は、前輪回転速度演算部５１が演算した前輪１４の回転速度および／または後輪回転速度演算部５２が演算した後輪２１の回転速度を基に自動二輪車１の移動速度である車速Ｖｃを把握する車速把握部５６を備えている。車速把握部５６は、前輪回転速度Ｒｆまたは後輪回転速度Ｒｒを用いて前輪１４または後輪２１の移動速度を演算することにより車速Ｖｃを把握する。前輪１４の移動速度は、前輪回転速度Ｒｆと前輪１４のタイヤの外径とを用いて演算することができ、後輪２１の移動速度は、後輪回転速度Ｒｒと後輪２１のタイヤの外径とを用いて演算することができる。そして、自動二輪車１が通常の状態で走行している場合には、車速Ｖｃは、前輪１４の移動速度および／または後輪２１の移動速度と等しいと解することができる。また、車速把握部５６は、前輪回転速度Ｒｆと後輪回転速度Ｒｒとの平均値を用いて前輪１４と後輪２１の平均の移動速度を演算することにより車速Ｖｃを把握してもよい。
【００５５】
また、制御装置５０は、車速把握部５６が把握した車速Ｖｃに基づいて、前輪側相対位置変更装置２４０の前輪側電磁弁２７０の開度および後輪側相対位置変更装置１４０の後輪側電磁弁１７０の開度を制御する電磁弁制御部５７を有している。この電磁弁制御部５７については、後で詳述する。
これら前輪回転速度演算部５１、後輪回転速度演算部５２、前輪側移動量把握部５３、後輪側移動量把握部５４、車速把握部５６および電磁弁制御部５７は、ＣＰＵがＲＯＭなどの記憶領域に記憶されたソフトウェアを実行することにより実現される。
【００５６】
次に、制御装置５０の電磁弁制御部５７について詳しく説明する。
図１２は、電磁弁制御部５７のブロック図である。
電磁弁制御部５７は、前輪側移動量Ｌｆの目標移動量である前輪側目標移動量を決定する前輪側目標移動量決定部５７１と、後輪側移動量Ｌｒの目標移動量である後輪側目標移動量を決定する後輪側目標移動量決定部５７２と、を有する目標移動量決定部５７０を有している。また、電磁弁制御部５７は、前輪側相対位置変更装置２４０の前輪側電磁弁２７０および後輪側相対位置変更装置１４０の後輪側電磁弁１７０に供給する目標電流を決定する目標電流決定部５１０と、目標電流決定部５１０が決定した目標電流に基づいてフィードバック制御などを行う制御部５２０とを有している。
【００５７】
目標移動量決定部５７０は、車速把握部５６が把握した車速Ｖｃおよび自動二輪車１に設けられた車高調整スイッチ３４がどの位置に操作されているかに基づいて目標移動量を決定する。
図１３は、車高調整スイッチ３４の外観図である。
車高調整スイッチ３４は、図１３に示すように、所謂ダイヤル式のスイッチであり、ユーザがつまみを回転させることにより、「低」と、「中」と、「高」とを選択できるように構成されている。そして、車高調整スイッチ３４は、例えばスピードメータの近傍に設けられている。
【００５８】
図１４（ａ）は、車速Ｖｃと前輪側目標移動量との相関関係を示す図である。図１４（ｂ）は、車速Ｖｃと後輪側目標移動量との相関関係を示す図である。
目標移動量決定部５７０は、自動二輪車１が走行開始後、車速把握部５６が把握した車速Ｖｃが予め定められた上昇車速Ｖｕよりも小さいときには目標移動量を零に決定し、車速Ｖｃが上昇車速Ｖｕより小さい状態から上昇車速Ｖｕ以上となった場合には、目標移動量を、車高調整スイッチ３４の操作位置に応じて予め定められた値に決定する。より具体的には、前輪側目標移動量決定部５７１は、図１４（ａ）に示すように、車速Ｖｃが上昇車速Ｖｕより小さい状態から上昇車速Ｖｕ以上となった場合には、前輪側目標移動量を、車高調整スイッチ３４の操作位置に応じて予め定められた所定前輪側目標移動量Ｌｆ０に決定する。他方、後輪側目標移動量決定部５７２は、図１４（ｂ）に示すように、車速Ｖｃが上昇車速Ｖｕより小さい状態から上昇車速Ｖｕ以上となった場合には、後輪側目標移動量を、車高調整スイッチ３４の操作位置に応じて予め定められた所定後輪側目標移動量Ｌｒ０に決定する。以降、車速把握部５６が把握した車速Ｖｃが上昇車速Ｖｕ以上である間は、前輪側目標移動量決定部５７１，後輪側目標移動量決定部５７２は、前輪側目標移動量，後輪側目標移動量を、所定前輪側目標移動量Ｌｆ０，所定後輪側目標移動量Ｌｒ０に決定する。車高調整スイッチ３４の操作位置と、この操作位置に応じた所定前輪側目標移動量Ｌｆ０，所定後輪側目標移動量Ｌｒ０との関係は、予めＲＯＭに記憶しておく。前輪側移動量Ｌｆと後輪側移動量Ｌｒとに応じて自動二輪車１の車高が定まることから、車高調整スイッチ３４の操作位置に応じて自動二輪車１の車高の目標値である目標車高を定め、この目標車高に応じた所定前輪側目標移動量Ｌｆ０，所定後輪側目標移動量Ｌｒ０を予め定め、ＲＯＭに記憶しておくことを例示することができる。
【００５９】
他方、目標移動量決定部５７０は、自動二輪車１が上昇車速Ｖｕ以上で走行している状態から予め定められた下降車速Ｖｄ以下となった場合には目標移動量を零に決定する。つまり、前輪側目標移動量決定部５７１，後輪側目標移動量決定部５７２は、前輪側目標移動量，後輪側目標移動量を零に決定する。なお、上昇車速Ｖｕおよび下降車速Ｖｄは予めＲＯＭに記憶されている。また、上昇車速Ｖｕは１０ｋｍ／ｈ、下降車速Ｖｄは８ｋｍ／ｈであることを例示することができる。
また、目標移動量決定部５７０は、車速把握部５６が把握した車速Ｖｃが下降車速Ｖｄよりも大きい場合であっても、急ブレーキなどで自動二輪車１が急減速した場合には、目標移動量を零に決定する。つまり、前輪側目標移動量決定部５７１，後輪側目標移動量決定部５７２は、前輪側目標移動量，後輪側目標移動量を零に決定する。自動二輪車１が急減速したかどうかは、車速把握部５６が把握した車速Ｖｃの単位時間当たりの減少量が予め定められた値以下であるか否かで把握することができる。
【００６０】
目標電流決定部５１０は、前輪側目標移動量決定部５７１が決定した前輪側目標移動量に基づいて前輪側電磁弁２７０の目標電流である前輪側目標電流を決定する前輪側目標電流決定部５１１と、後輪側目標移動量決定部５７２が決定した後輪側目標移動量に基づいて後輪側電磁弁１７０の目標電流である後輪側目標電流を決定する後輪側目標電流決定部５１２と、を有している。
前輪側目標電流決定部５１１は、例えば、予め経験則に基づいて作成しＲＯＭに記憶しておいた、前輪側目標移動量と前輪側目標電流との対応を示すマップに、前輪側目標移動量決定部５７１が決定した前輪側目標移動量を代入することにより前輪側目標電流を決定する。
後輪側目標電流決定部５１２は、例えば、予め経験則に基づいて作成しＲＯＭに記憶しておいた、後輪側目標移動量と後輪側目標電流との対応を示すマップに、後輪側目標移動量決定部５７２が決定した後輪側目標移動量を代入することにより後輪側目標電流を決定する。
【００６１】
なお、前輪側目標電流決定部５１１，後輪側目標電流決定部５１２は、前輪側目標移動量，後輪側目標移動量が零の場合には、前輪側目標電流，後輪側目標電流を零に決定する。また、前輪側目標電流決定部５１１，後輪側目標電流決定部５１２は、前輪側目標移動量，後輪側目標移動量が零であり、前輪側目標電流，後輪側目標電流を零に決定している状態から、前輪側目標移動量決定部５７１，後輪側目標移動量決定部５７２が決定した前輪側目標移動量，後輪側目標移動量が零以外の値に変わった場合には、言い換えれば、車高を高めていない状態から高め始める場合には、一定時間、前輪側目標電流，後輪側目標電流を予め定められた最大電流に決定する。そして、前輪側目標電流決定部５１１，後輪側目標電流決定部５１２は、一定時間経過後に、前輪側目標移動量決定部５７１，後輪側目標移動量決定部５７２が決定した前輪側目標移動量，後輪側目標移動量に応じた、前輪側目標電流，後輪側目標電流に決定する。その際、前輪側目標電流決定部５１１，後輪側目標電流決定部５１２は、予めＲＯＭに記憶された、前輪側目標電流，後輪側目標電流と、前輪側目標移動量，後輪側目標移動量との相関関係に基づいて、前輪側目標電流，後輪側目標電流を決定する。
【００６２】
また、前輪側目標電流決定部５１１は、前輪側目標移動量決定部５７１が決定した前輪側目標移動量に基づいて前輪側目標電流を決定する際、一定期間経過後は、前輪側目標移動量決定部５７１が決定した前輪側目標移動量と、前輪側移動量把握部５３が把握した実際の前輪側移動量Ｌｆとの偏差に基づいてフィードバック制御を行い、前輪側目標電流を決定してもよい。同様に、後輪側目標電流決定部５１２は、後輪側目標移動量決定部５７２が決定した後輪側目標移動量に基づいて後輪側目標電流を決定する際、一定期間経過後は、後輪側目標移動量決定部５７２が決定した後輪側目標移動量と、後輪側移動量把握部５４が把握した実際の後輪側移動量Ｌｒとの偏差に基づいてフィードバック制御を行い、後輪側目標電流を決定してもよい。
【００６３】
制御部５２０は、前輪側電磁弁２７０の作動を制御する前輪側作動制御部５３０と、前輪側電磁弁２７０を駆動させる前輪側電磁弁駆動部５３３と、前輪側電磁弁２７０に実際に流れる実電流を検出する前輪側検出部５３４とを有している。また、制御部５２０は、後輪側電磁弁１７０の作動を制御する後輪側作動制御部５４０と、後輪側電磁弁１７０を駆動させる後輪側電磁弁駆動部５４３と、後輪側電磁弁１７０に実際に流れる実電流を検出する後輪側検出部５４４とを有している。
【００６４】
前輪側作動制御部５３０は、前輪側目標電流決定部５１１が決定した前輪側目標電流と、前輪側検出部５３４が検出した実際の電流（前輪側実電流）との偏差に基づいてフィードバック制御を行う前輪側フィードバック（Ｆ／Ｂ）制御部５３１と、前輪側電磁弁２７０をＰＷＭ制御する前輪側ＰＷＭ制御部５３２とを有している。
後輪側作動制御部５４０は、後輪側目標電流決定部５１２が決定した後輪側目標電流と、後輪側検出部５４４が検出した実際の電流（後輪側実電流）との偏差に基づいてフィードバック制御を行う後輪側フィードバック（Ｆ／Ｂ）制御部５４１と、後輪側電磁弁１７０をＰＷＭ制御する後輪側ＰＷＭ制御部５４２とを有している。
【００６５】
前輪側フィードバック制御部５３１は、前輪側目標電流と、前輪側検出部５３４が検出した前輪側実電流との偏差を求め、その偏差がゼロとなるようにフィードバック処理を行う。後輪側フィードバック制御部５４１は、後輪側目標電流と、後輪側検出部５４４が検出した後輪側実電流との偏差を求め、その偏差がゼロとなるようにフィードバック処理を行う。前輪側フィードバック制御部５３１，後輪側フィードバック制御部５４１は、例えば、前輪側目標電流と前輪側実電流との偏差，後輪側目標電流と後輪側実電流との偏差に対して、比例要素で比例処理し、積分要素で積分処理し、加算演算部でこれらの値を加算するものであることを例示することができる。あるいは、前輪側フィードバック制御部５３１，後輪側フィードバック制御部５４１は、例えば、目標電流と実電流との偏差に対して、比例要素で比例処理し、積分要素で積分処理し、微分要素で微分処理し、加算演算部でこれらの値を加算するものであることを例示することができる。
【００６６】
前輪側ＰＷＭ制御部５３２は、一定周期（Ｔ）のパルス幅（ｔ）のデューティ比（＝ｔ／Ｔ×１００（％））を変え、前輪側電磁弁２７０の開度（前輪側電磁弁２７０のコイルに印加される電圧）をＰＷＭ制御する。ＰＷＭ制御が行われると、前輪側電磁弁２７０のコイルに印加される電圧が、デューティ比に応じたパルス状に印加される。このとき、前輪側電磁弁２７０のコイル２７１に流れる電流は、コイル２７１のインピーダンスにより、パルス状に印加される電圧に追従して変化することができずになまって出力され、前輪側電磁弁２７０のコイルを流れる電流は、デューティ比に比例して増減される。そして、前輪側ＰＷＭ制御部５３２は、予めＲＯＭに記憶された、デューティ比と前輪側目標電流との相関関係に基づいて、デューティ比を設定する。例えば、前輪側ＰＷＭ制御部５３２は、前輪側目標電流が零である場合にはデューティ比を零に設定し、前輪側目標電流が上述した最大電流である場合にはデューティ比を１００％に設定することを例示することができる。
【００６７】
同様に、後輪側ＰＷＭ制御部５４２は、デューティ比を変え、後輪側電磁弁１７０の開度（後輪側電磁弁１７０のコイルに印加される電圧）をＰＷＭ制御する。ＰＷＭ制御が行われると、後輪側電磁弁１７０のコイル１７１に印加される電圧がデューティ比に応じたパルス状に印加され、後輪側電磁弁１７０のコイル１７１を流れる電流がデューティ比に比例して増減する。そして、後輪側ＰＷＭ制御部５４２は、予めＲＯＭに記憶された、デューティ比と後輪側目標電流との相関関係に基づいて、デューティ比を設定する。例えば、後輪側ＰＷＭ制御部５４２は、後輪側目標電流が零である場合にはデューティ比を零に設定し、後輪側目標電流が上述した最大電流である場合にはデューティ比を１００％に設定することを例示することができる。
【００６８】
前輪側電磁弁駆動部５３３は、例えば、電源の正極側ラインと前輪側電磁弁２７０のコイルとの間に接続された、スイッチング素子としてのトランジスタ（ＦＥＴ）を備えている。そして、このトランジスタのゲートを駆動してこのトランジスタをスイッチング動作させることにより、前輪側電磁弁２７０の駆動を制御する。後輪側電磁弁駆動部５４３は、例えば、電源の正極側ラインと後輪側電磁弁１７０のコイルとの間に接続されたトランジスタを備えている。そして、このトランジスタのゲートを駆動してこのトランジスタをスイッチング動作させることにより、後輪側電磁弁１７０の駆動を制御する。
前輪側検出部５３４は、前輪側電磁弁駆動部５３３に接続されたシャント抵抗の両端に生じる電圧から前輪側電磁弁２７０に流れる実電流の値を検出する。後輪側検出部５４４は、後輪側電磁弁駆動部５４３に接続されたシャント抵抗の両端に生じる電圧から後輪側電磁弁１７０に流れる実電流の値を検出する。
【００６９】
以上のように構成された自動二輪車１においては、制御装置５０の電磁弁制御部５７が、車高調整スイッチ３４の操作位置に応じた目標車高に基づいて目標電流を決定し、前輪側電磁弁２７０および後輪側電磁弁１７０に供給される実際の電流が決定した目標電流となるようにＰＷＭ制御を行う。つまり、電磁弁制御部５７の前輪側ＰＷＭ制御部５３２，後輪側ＰＷＭ制御部５４２は、デューティ比を変更することにより前輪側電磁弁２７０，後輪側電磁弁１７０のコイル２７１，１７１に供給される電力を制御し、前輪側電磁弁２７０，後輪側電磁弁１７０を任意の開度に制御する。これにより、制御装置５０は、車高調整スイッチ３４の操作位置に応じて車高を任意の高さに変更することができるので、車高を多段階に変更することができる。
【００７０】
＜同調制御＞
次に、車速Ｖｃが上昇車速Ｖｕより小さい状態から上昇車速Ｖｕ以上となり、車高を目標車高に上昇する際の電磁弁制御部５７による制御について説明する。
車高を上昇させる過程において、車体フレーム１１の姿勢が前傾したり後傾したりすると、走行安定性が悪化してしまう。車体フレーム１１の姿勢の傾きを抑制するように前輪側相対位置変更装置２４０の前輪側液体供給装置２６０および後輪側相対位置変更装置１４０の後輪側液体供給装置１６０のポンピング性能を設定したとしても、自動二輪車１の走行状況や路面状態などにより傾きが生じるおそれがある。また、傾きが生じてしまうと、前輪および後輪の内、上昇が遅い方（低い方）の荷重が増加して相対移動し難くなることから、さらに上昇が遅くなるという悪循環に陥るおそれがある。
そのため、本実施の形態に係る電磁弁制御部５７は、前輪側相対位置変更装置２４０による前輪側上昇速度と後輪側相対位置変更装置１４０による後輪側上昇速度とを同調させるように前輪側電磁弁２７０および後輪側電磁弁１７０の開度を制御する。
【００７１】
＜開度制御処理の第１実施例＞
以下に、制御装置５０の電磁弁制御部５７が行う後輪側電磁弁１７０および前輪側電磁弁２７０の開度制御処理の第１実施例について詳しく説明する。
図１５は、前輪側移動速度Ｖｆと後輪側移動速度Ｖｒとの基準となる関係を示す図である。図１５において、横軸は、車速把握部５６が把握した車速Ｖｃが上昇車速Ｖｕより小さい状態から上昇車速Ｖｕ以上となり、車高を変更するべく前輪側電磁弁２７０および後輪側電磁弁１７０を閉じ始めた後（前輪側電磁弁２７０および後輪側電磁弁１７０に上述した最大電流が供給開始された後）の経過時間であり、縦軸は、前輪側移動量Ｌｆおよび後輪側移動量Ｌｒである。前輪側移動速度Ｖｆ，後輪側移動速度Ｖｒは、それぞれ、車高を変更するべく前輪側電磁弁２７０，後輪側電磁弁１７０を閉じ始めた後の経過時間における前輪側移動量Ｌｆ，後輪側移動量Ｌｒである。
【００７２】
図１５に示した関係は、前輪側電磁弁２７０および後輪側電磁弁１７０を閉じ始めた後（車高上昇開始後）、車高が最低位置から目標車高となるまでの間の後輪側移動速度Ｖｒに対する前輪側移動速度Ｖｆの比率が所定値となるように定められている。言い換えれば、この期間における任意の時間の前輪側移動量Ｌｆと後輪側移動量Ｌｒとの比が所定値となるように定められている。なお、以下では、図１５に示した前輪側移動速度Ｖｆ、後輪側移動速度Ｖｒを、それぞれ前輪側基準速度Ｖｆｂ、後輪側基準速度Ｖｒｂと称す。
【００７３】
図１６（ａ）、図１６（ｂ）、図１６（ｃ）は、第１の実施例に係る電磁弁制御部５７の制御態様を示す図である。図１６（ａ）〜図１６（ｃ）において、車高が目標車高となるときの前輪側移動量をＬｆｔ、後輪側移動量をＬｒｔとする。この後輪側移動量をＬｒｔに対する前輪側移動量Ｌｆｔの比率（前輪側移動量Ｌｆｔ／後輪側移動量Ｌｒｔ）が所定値となる。
【００７４】
電磁弁制御部５７は、図１６（ａ）に示すように、例えば、車高上昇開始後ｔ１時間経過したときの前輪側移動量をＬｆ１、後輪側移動量をＬｒ１とした場合の、後輪側移動量Ｌｒ１に対する前輪側移動量Ｌｆ１の移動量比率（Ｌｆ１／Ｌｒ１）が所定値よりも大きい場合には、前輪側移動速度Ｖｆの方が後輪側移動速度Ｖｒよりも、基準速度に対して速いと判断する。つまり、前輪側上昇速度の方が後輪側上昇速度よりも速いと判断する。言い換えれば、前輪側基準速度Ｖｆｂに対する前輪側移動速度Ｖｆの比率（Ｖｆ／Ｖｆｂ）を前輪側比率とし、後輪側基準速度Ｖｒｂに対する後輪側移動速度Ｖｒの比率（Ｖｒ／Ｖｒｂ）を後輪側比率とした場合に、後輪側比率に対する前輪側比率の速度比率（（Ｖｆ／Ｖｆｂ）／（Ｖｒ／Ｖｒｂ））が所定範囲（１を中心とする予め定められた範囲）よりも大きい場合には、前輪側上昇速度の方が後輪側上昇速度よりも速いと判断する。かかる場合、電磁弁制御部５７の前輪側目標移動量決定部５７１は、前輪側上昇速度を後輪側上昇速度に合わせるべく、前輪側目標移動量を、後述する前輪側補正値に補正する。そして、前輪側目標電流決定部５１１は、前輪側目標移動量決定部５７１が決定した前輪側目標移動量に基づいて前輪側目標電流を決定する。
そして、前輪側目標移動量決定部５７１は、その後、速度比率（（Ｖｆ／Ｖｆｂ）／（Ｖｒ／Ｖｒｂ））が所定範囲内となったら、前輪側目標移動量を、目標車高となるときの前輪側移動量Ｌｆｔに決定し、前輪側目標電流決定部５１１は、前輪側電磁弁２７０に供給する前輪側目標電流を最大電流とする（デューティ比を１００％とする）。
【００７５】
前輪側補正値は、ｔ１時間経過したとき（速度比率が所定範囲よりも大きくなったとき）の前輪側移動量Ｌｆを維持するための値（以下、「前輪側維持値」と称する場合がある。）であることを例示することができる。なお、図１６（ａ）では、前輪側補正値が前輪側維持値に決定される場合の態様を示している。ただし、前輪側補正値は、前輪側維持値よりも小さい値でもよいし、大きい値でもよい。前輪側補正値が小さいと、早期に速度比率が所定範囲内に入り易くなり、車高バランスが早期に改善する。反面、速度比率が所定範囲内に入った後に前輪側電磁弁２７０に供給する前輪側目標電流を最大電流に変更したとしても、後輪側上昇速度の方が前輪側上昇速度よりも速くなり、逆に速度比率が所定範囲よりも小さくなるおそれがある。前輪側補正値は、かかる事象を考慮して予め定められる値でもよい。
【００７６】
一方、電磁弁制御部５７は、図１６（ｂ）に示すように、例えば、車高上昇開始後ｔ２時間経過したときの前輪側移動量をＬｆ２、後輪側移動量をＬｒ２とした場合の、後輪側移動量Ｌｒ２に対する前輪側移動量Ｌｆ２の移動量比率（Ｌｆ２／Ｌｒ２）が所定値よりも小さい場合には、後輪側移動速度Ｖｒの方が前輪側移動速度Ｖｆよりも、基準速度に対して速いと判断する。つまり、後輪側上昇速度の方が前輪側上昇速度よりも速いと判断する。言い換えれば、速度比率（（Ｖｆ／Ｖｆｂ）／（Ｖｒ／Ｖｒｂ））が所定範囲よりも小さい場合には、後輪側上昇速度の方が前輪側上昇速度よりも速いと判断する。かかる場合、電磁弁制御部５７の後輪側目標移動量決定部５７２は、後輪側上昇速度を前輪側上昇速度に合わせるべく、後輪側目標移動量を、後述する後輪側補正値に補正する。そして、後輪側目標電流決定部５１２は、後輪側目標移動量決定部５７２が決定した後輪側目標移動量に基づいて後輪側目標電流を決定する。
そして、後輪側目標移動量決定部５７２は、その後、速度比率（（Ｖｆ／Ｖｆｂ）／（Ｖｒ／Ｖｒｂ））が所定範囲内となったら、後輪側目標移動量を、目標車高となるときの後輪側移動量Ｌｒｔに決定し、後輪側目標電流決定部５１２は、後輪側電磁弁１７０に供給する後輪側目標電流を最大電流とする（デューティ比を１００％とする）。
【００７７】
後輪側補正値は、ｔ２時間経過したとき（速度比率が所定範囲よりも小さくなったとき）の後輪側移動量Ｌｒを維持するための値（以下、「後輪側維持値」と称する場合がある。）であることを例示することができる。なお、図１６（ｂ）では、後輪側補正値が後輪側維持値に決定される場合の態様を示している。ただし、後輪側補正値は、後輪側維持値よりも小さい値でもよいし、大きい値でもよい。後輪側補正値が小さいと、早期に速度比率が所定範囲内に入り易くなり、車高バランスが早期に改善する。反面、速度比率が所定範囲内に入った後に後輪側電磁弁１７０に供給する後輪側目標電流を最大電流に変更したとしても、前輪側上昇速度の方が後輪側上昇速度よりも速くなり、逆に速度比率が所定範囲よりも大きくなるおそれがある。後輪側補正値は、かかる事象を考慮して定められる値でもよい。
【００７８】
また、本実施の形態に係る電磁弁制御部５７は、図１６（ｃ）に示すように、例えば、車高上昇開始後ｔ３時間経過したときの前輪側移動量をＬｆ３、後輪側移動量をＬｒ３とした場合の、前輪側移動量Ｌｆ３と後輪側移動量Ｌｒ３との比（Ｌｆ３／Ｌｒ３）が所定値である場合には、前輪側上昇速度と後輪側上昇速度とが同じであると判断する。言い換えれば、速度比率（（Ｖｆ／Ｖｆｂ）／（Ｖｒ／Ｖｒｂ））が所定範囲内である場合には、前輪側上昇速度と後輪側上昇速度とが同じであると判断する。かかる場合、電磁弁制御部５７は、前輪側移動速度Ｖｆ，後輪側移動速度Ｖｒが、それぞれ前輪側基準速度Ｖｆｂ，後輪側基準速度Ｖｒｂと異なっているとしても、前輪側目標移動量および後輪側目標移動のいずれも補正しない。
【００７９】
次に、フローチャートを用いて、電磁弁制御部５７が行う開度制御処理の手順について説明する。
図１７は、電磁弁制御部５７が行う開度制御処理の手順を示すフローチャートである。電磁弁制御部５７は、この開度制御処理を、例えば車高上昇開始後予め定めた期間毎に繰り返し実行する。
【００８０】
先ず、電磁弁制御部５７は、ＲＡＭに記憶された、自動二輪車１の車速Ｖｃを読み込むことにより取得する（Ｓ１０１）。その後、Ｓ１０１にて取得した車速Ｖｃが上昇車速Ｖｕ以上であるか否かを判別する（Ｓ１０２）。そして、車速Ｖｃが上昇車速Ｖｕ以上である場合（Ｓ１０２でＹＥＳ）、前輪側電磁弁２７０および後輪側電磁弁１７０に最大電流を供給し（Ｓ１０３）、ＲＡＭに、後述する前後調整処理を行う必要がある旨を示す前後調整フラグをＯＮに設定する（Ｓ１０４）。他方、車速Ｖｃが上昇車速Ｖｕ以上ではない場合（Ｓ１０２でＮＯ）、前輪側電磁弁２７０および後輪側電磁弁１７０に供給する電流を零にし（Ｓ１０５）、ＲＡＭに、前後調整フラグをＯＦＦに設定する（Ｓ１０６）。
【００８１】
なお、前輪回転速度演算部５１、後輪回転速度演算部５２および車速把握部５６は、それぞれ電磁弁制御部５７がこの開度制御処理を実行する周期以下の周期で前輪回転速度Ｒｆ、後輪回転速度Ｒｒおよび車速Ｖｃを演算し、ＲＡＭに記憶する。
【００８２】
次に、フローチャートを用いて、電磁弁制御部５７が行う前後調整処理の第１の実施例の手順について説明する。
図１８は、電磁弁制御部５７が行う前後調整処理の第１の実施例の手順を示すフローチャートである。電磁弁制御部５７は、この前後調整処理を予め定めた期間毎に繰り返し実行する。
【００８３】
先ず、電磁弁制御部５７は、ＲＡＭにおいてセットされる前後調整フラグがＯＮになっているか否かを調べる（Ｓ２０１）。そして、前後調整フラグがＯＮになっている場合（Ｓ２０１でＹＥＳ）、ＲＡＭに記憶された、前輪側移動量Ｌｆおよび後輪側移動量Ｌｒを読み込むことにより取得する（Ｓ２０２）。そして、前輪側比率（Ｖｆ／Ｖｆｂ）および後輪側比率（Ｖｒ／Ｖｒｂ）を算出し、速度比率（（Ｖｆ／Ｖｆｂ）／（Ｖｒ／Ｖｒｂ））が所定範囲内であるか否かを判断する（Ｓ２０３）。そして、速度比率が所定範囲内である場合（Ｓ２０３でＹＥＳ）、前輪側移動量Ｌｆが前輪側目標移動量および後輪側移動量Ｌｒが後輪側目標移動量であるか否かを判断する（Ｓ２０４）。そして、前輪側移動量Ｌｆ，後輪側移動量Ｌｒが目標移動量である場合（Ｓ２０４でＹＥＳ）、車高が目標車高であるので本処理の実行を終了する。前輪側移動量Ｌｆ，後輪側移動量Ｌｒが目標移動量ではない場合（Ｓ２０４でＮＯ）、Ｓ２０１以降の処理を実行する。
【００８４】
他方、速度比率が所定範囲内ではない場合（Ｓ２０３でＮＯ）、速度比率が所定範囲よりも大きいか否かを判断する（Ｓ２０５）。そして、速度比率が所定範囲よりも大きい場合（Ｓ２０５でＹＥＳ）、前輪側目標移動量を前輪側補正値とする（Ｓ２０６）。一方、速度比率が所定範囲よりも大きくない場合（Ｓ２０５でＮＯ）、速度比率が所定範囲よりも小さいので、後輪側目標移動量を後輪側補正値とする（Ｓ２０７）。Ｓ２０６にて前輪側目標移動量を補正した後、およびＳ２０７にて後輪側目標移動量を補正した後は、Ｓ２０１以降の処理を実行する。
【００８５】
なお、前輪側移動量把握部５３および後輪側移動量把握部５４は、それぞれ電磁弁制御部５７がこの前後調整処理を実行する周期以下の周期で前輪側移動量Ｌｆおよび後輪側移動量Ｌｒを演算し、ＲＡＭに記憶する。また、上記所定範囲は、ＲＯＭに予め記憶されている。
【００８６】
このように、制御装置５０の電磁弁制御部５７がこの前後調整処理を行うことにより、制御装置５０は、前輪側相対位置変更装置２４０による車高の上昇速度と、後輪側相対位置変更装置１４０による車高の上昇速度とが同じとなるように精度高く車高を上昇することができる。これにより、車高の調整過程においても車体フレーム１１（シート１９）の姿勢が変化することを抑制することができる。その結果、車高を調整したとしても走行安定性が損なわれることを抑制することができる。
【００８７】
＜開度制御処理の第２実施例＞
以下に、制御装置５０の電磁弁制御部５７が行う後輪側電磁弁１７０および前輪側電磁弁２７０の開度制御処理の第２実施例について詳しく説明する。
開度制御処理の第２実施例においては、電磁弁制御部５７が、任意の時間経過後の速度比率が所定範囲内ではない場合には、上昇速度が遅い方の移動率に合わせて上昇速度が速い方の目標移動量を設定する点が開度制御処理の第１実施例とは異なる。以下では、異なる点について記載し、同じ点についての説明は省略する。
【００８８】
図１９（ａ）、図１９（ｂ）は、第２の本実施例に係る電磁弁制御部５７の制御態様を示す図である。
本実施例に係る電磁弁制御部５７は、図１９（ａ）に示すように、例えば、車高上昇開始後ｔ１時間経過したときの速度比率（（Ｖｆ／Ｖｆｂ）／（Ｖｒ／Ｖｒｂ））が所定範囲よりも大きい場合には、前輪側上昇速度の方が後輪側上昇速度よりも速いと判断する。かかる場合、電磁弁制御部５７の前輪側目標移動量決定部５７１は、前輪側目標移動量を、目標車高となるときの後輪側移動量Ｌｒｔに対するｔ１時間経過したときの後輪側移動量Ｌｒ１の割合である後輪側移動率に相当する量に前輪側調整値を加えた値とする。つまり、「前輪側目標移動量＝（後輪側移動量Ｌｒ１／目標車高となるときの後輪側移動量をＬｒｔ）×（目標車高となるときの前輪側移動量Ｌｆｔ）＋前輪側調整値」とする。そして、前輪側目標電流決定部５１１は、前輪側目標移動量決定部５７１が決定した前輪側目標移動量に基づいて前輪側目標電流を決定する。
そして、前輪側目標移動量決定部５７１は、その後、速度比率が所定範囲内となったら、前輪側目標移動量を、目標車高となるときの前輪側移動量Ｌｆｔに決定し、前輪側目標電流決定部５１１は、前輪側電磁弁２７０に供給する前輪側目標電流を最大電流とする（デューティ比を１００％とする）。
【００８９】
一方、本実施の形態に係る電磁弁制御部５７は、図１９（ｂ）に示すように、例えば、車高上昇開始後ｔ２時間経過したときの速度比率（（Ｖｆ／Ｖｆｂ）／（Ｖｒ／Ｖｒｂ））が所定範囲よりも小さい場合には、後輪側上昇速度の方が前輪側上昇速度よりも速いと判断する。かかる場合、電磁弁制御部５７は、後輪側目標移動量を、目標車高となるときの前輪側移動量Ｌｆｔに対するｔ２時間経過したときの前輪側移動量Ｌｆ２の割合である前輪側移動率に相当する量に後輪側調整値を加えた値とする。つまり、「後輪側目標移動量＝（前輪側移動量Ｌｆ２／目標車高となるときの前輪側移動量をＬｆｔ）×（目標車高となるときの後輪側移動量Ｌｒｔ）＋後輪側調整値」とする。そして、後輪側目標電流決定部５１２は、後輪側目標移動量決定部５７２が決定した後輪側目標移動量に基づいて後輪側目標電流を決定する。
そして、後輪側目標移動量決定部５７２は、その後、速度比率が所定範囲内となったら、後輪側目標移動量を、車高が目標車高となるときの後輪側移動量Ｌｒｔに決定し、後輪側目標電流決定部５１２は、後輪側電磁弁１７０に供給する後輪側目標電流を最大電流とする（デューティ比を１００％とする）。
【００９０】
上述した前輪側調整値および後輪側調整値は、実験等に基づいて予め定められる正の値である。
速度比率が所定範囲よりも大きい場合に、前輪側目標移動量を後輪側移動率に相当する量に設定すると、前輪側調整値を加えた場合の前輪側目標移動量よりも小さくなるため、早期に速度比率が所定範囲内に入り易くなり、車高バランスが早期に改善する。反面、その後速度比率が所定範囲内に入った後に前輪側電磁弁２７０に供給する前輪側目標電流を最大電流に変更したとしても、後輪側上昇速度の方が前輪側上昇速度よりも速くなり、逆に速度比率が所定範囲よりも小さくなるおそれがある。そのため、速度比率が所定範囲よりも大きいときに前輪側目標移動量を決定するにあたって、前輪側調整値を加味することで、支障ない範囲で前輪側上昇速度と後輪側上昇速度との優劣が頻繁に入れ替わらないようにする。
【００９１】
同様に、速度比率が所定範囲よりも小さい場合に、後輪側目標移動量を前輪側移動率に相当する量に設定すると、後輪側調整値を加えた場合の後輪側目標移動量よりも小さくなるため、早期に速度比率が所定範囲内に入り易くなり、車高バランスが早期に改善する。反面、その後速度比率が所定範囲内に入った後に後輪側電磁弁１７０に供給する後輪側目標電流を最大電流に変更したとしても、前輪側上昇速度の方が後輪側上昇速度よりも速くなり、逆に速度比率が所定範囲よりも大きくなるおそれがある。そのため、速度比率が所定範囲よりも小さいときに後輪側目標移動量を決定するにあたって、後輪側調整値を加味することで、支障ない範囲で前輪側上昇速度と後輪側上昇速度との優劣が頻繁に入れ替わらないようにする。
【００９２】
次に、フローチャートを用いて、電磁弁制御部５７が行う前後調整処理の第２の実施例の手順について説明する。
図２０は、電磁弁制御部５７が行う前後調整処理の第２の実施例の手順を示すフローチャートである。電磁弁制御部５７は、この前後調整処理を予め定めた期間毎に繰り返し実行する。
【００９３】
先ず、電磁弁制御部５７は、ＲＡＭにおいてセットされる前後調整フラグがＯＮになっているか否かを調べる（Ｓ３０１）。そして、前後調整フラグがＯＮになっている場合（Ｓ３０１でＹＥＳ）、ＲＡＭに記憶された、前輪側移動量Ｌｆおよび後輪側移動量Ｌｒを読み込むことにより取得する（Ｓ３０２）。そして、前輪側比率（Ｖｆ／Ｖｆｂ）および後輪側比率（Ｖｒ／Ｖｒｂ）を算出し、速度比率（（Ｖｆ／Ｖｆｂ）／（Ｖｒ／Ｖｒｂ））が所定範囲内であるか否かを判断する（Ｓ３０３）。そして、速度比率が所定範囲内である場合（Ｓ３０３でＹＥＳ）、前輪側移動量Ｌｆが前輪側目標移動量および後輪側移動量Ｌｒが後輪側目標移動量であるか否かを判断する（Ｓ３０４）。そして、前輪側移動量Ｌｆ，後輪側移動量Ｌｒが目標移動量である場合（Ｓ３０４でＹＥＳ）、車高が目標車高であるので本処理の実行を終了する。
【００９４】
他方、速度比率が所定範囲内ではない場合（Ｓ３０３でＮＯ）、速度比率が所定範囲よりも大きいか否かを判断する（Ｓ３０５）。そして、速度比率が所定範囲よりも大きい場合（Ｓ３０５でＹＥＳ）、前輪側目標移動量を、目標車高となるときの後輪側移動量Ｌｒｔに対する現時点の後輪側移動量Ｌｒの割合に目標車高となるときの前輪側移動量Ｌｆｔを乗算することにより得た値（後輪側移動率に相当する量）に、前輪側調整値を加えた値に設定する（Ｓ３０６）。これにより、前輪側目標電流が、変更された前輪側目標移動量に応じた目標電流に決定され、前輪側移動速度が低下する。
【００９５】
一方、速度比率が所定範囲よりも大きくない場合（Ｓ３０５でＮＯ）、速度比率が所定範囲よりも小さいので、後輪側目標移動量を、目標車高となるときの前輪側移動量Ｌｆｔに対する現時点の前輪側移動量Ｌｆの割合に目標車高となるときの後輪側移動量Ｌｒｔを乗算することにより得た値（前輪側移動率に相当する量）に、後輪側調整値を加えた値に設定する（Ｓ３０７）。これにより、後輪側目標電流が、変更された後輪側目標移動量に応じた目標電流に決定され、後輪側移動速度が低下する。
【００９６】
なお、前輪側移動量把握部５３および後輪側移動量把握部５４は、それぞれ電磁弁制御部５７がこの前後調整処理を実行する周期以下の周期で前輪側移動量Ｌｆおよび後輪側移動量Ｌｒを演算し、ＲＡＭに記憶する。また、上記前輪側調整値および後輪側調整値は、ＲＯＭに予め記憶されている。
【００９７】
このように、制御装置５０の電磁弁制御部５７がこの前後調整処理を行うことにより、制御装置５０は、前輪側相対位置変更装置２４０による車高の上昇速度と、後輪側相対位置変更装置１４０による車高の上昇速度とが同じとなるように精度高く車高を上昇することができる。これにより、車高の調整過程においても車体フレーム１１（シート１９）の姿勢が変化することを抑制することができる。その結果、車高を調整したとしても走行安定性が損なわれることを抑制することができる。
【００９８】
なお、上述した前輪側調整値，後輪側調整値は、前輪側目標移動量，後輪側目標移動量を補正する時点の前輪側移動量Ｌｆ，後輪側移動量Ｌｒに応じた値でもよく、前輪側移動量Ｌｆ，後輪側移動量Ｌｒが小さいほど前輪側調整値，後輪側調整値を小さくし、前輪側移動量Ｌｆ，後輪側移動量Ｌｒが大きいほど前輪側調整値，後輪側調整値を大きくしてもよい。前輪側目標移動量，後輪側目標移動量を補正する時点の前輪側移動量Ｌｆ，後輪側移動量Ｌｒが小さいなら、前輪側上昇速度と後輪側上昇速度との優劣が頻繁に入れ替わる可能性が低いと考えられるからである。
【符号の説明】
【００９９】
１…自動二輪車、１１…車体フレーム、１３…フロントフォーク、１４…前輪、２１…後輪、２２…リヤサスペンション、５０…制御装置、５７…電磁弁制御部、１４０…後輪側相対位置変更装置、１６０…後輪側液体供給装置、１７０…後輪側電磁弁、２４０…前輪側相対位置変更装置、２６０…前輪側液体供給装置、２７０…前輪側電磁弁
【図１】
0005947320.tif 000002
【図２】
0005947320.tif 000003
【図３】
0005947320.tif 000004
【図４】
0005947320.tif 000005
【図５】
0005947320.tif 000006
【図６】
0005947320.tif 000007
【図７】
0005947320.tif 000008
【図８】
0005947320.tif 000009
【図９】
0005947320.tif 000010
【図１０】
0005947320.tif 000011
【図１１】
0005947320.tif 000012
【図１２】
0005947320.tif 000013
【図１３】
0005947320.tif 000014
【図１４】
0005947320.tif 000015
【図１５】
0005947320.tif 000016
【図１６】
0005947320.tif 000017
【図１７】
0005947320.tif 000018
【図１８】
0005947320.tif 000019
【図１９】
0005947320.tif 000020
【図２０】
0005947320.tif 000021